(57)【要約】【課題】スピーカを手軽に持参することができ、しかも簡単に携帯用端末器とスピーカとを近接して配置することができる携帯型のスピーカ用ラックを提供する。【解決手段】一端部側に接着部を有すると共に、自由に折曲げが可能な軟性部と曲げに対して耐性のある剛性部とを長手方向に沿って交互に有する矩形状のラック部材と、接着部に接着される板状体２とにより形成されている。このラック部材は、軟性部と剛性部とが交互に形成され、軟性部で折り曲げることによりカバン状に形成することができ、展開することにより、スピーカとタブレットなどを上下に配置して音楽や映画を楽しむことができる構造になっている。板状体２には、スピーカ支持部２１〜２３と、携帯用端末器４を載置する載置部２５が形成されている。【選択図】図１
2015106730.tif 000002
【特許請求の範囲】
【請求項１】
一端部側に接着部を有すると共に、自由に折曲げが可能な軟性部と曲げに対して耐性のある剛性部とを長手方向に沿って交互に有する矩形状のラック部材と、前記接着部に接着される板状体とを有し、
前記ラック部材は、前記一端部側の前記接着部と、該接着部に続く前記軟性部からなる第１折曲げ部と、前記剛性部からなり、前記接着部および第１折曲げ部と共にカバンの大きい１つの面に相当する大きさになる長さの第１壁面と、前記軟性部からなる第２折曲げ部と、前記剛性部からなりカバンの厚さを有する長さの第２壁面と、前記軟性部からなる第３折曲げ部と、前記剛性部からなり前記カバンの大きい１つの面に相当する大きさになる長さの第３壁面と、前記軟性部からなる第４折曲げ部とが順次形成され、他端部側に、前記第１壁面に重なるように形成される重複部とを少なくとも有し、
前記板状体は、前記ラック部材の幅とほぼ同じ幅で、かつ、前記カバンの大きい１つの面に相当する大きさの長さで、前記ラック部材の第１折曲げ部で、前記ラック部材と任意の角度で分岐し得るように前記ラック部材と並列して設けられると共に、前記板状体の前記ラック部材側と反対面における前記一端部と反対側の自由端部および該自由端部と隣接する２つの側端部にそれぞれスピーカ支持部が形成され、かつ、該スピーカ支持部により支持されるスピーカの部分より前記自由端と反対側に携帯用端末器を載置する載置部が形成されている
ことを特徴とする携帯型のスピーカ用ラック。
【請求項２】
前記ラック部材は、外皮材と、内皮材とが厚板を挟んで貼り付けられた構造に形成され、前記軟性部は前記厚板がなく前記外皮材と前記内皮材とが接着された構造であり、前記剛性部は前記外皮材と前記内皮材との間に前記厚板が挟まれた構造であり、前記板状体は前記厚板の両面が前記内皮材により被覆された構造である請求項１記載の携帯型のスピーカ用ラック。
【請求項３】
前記第４折曲げ部に続いて、前記剛性部からなり前記第２壁面の長さとほぼ同じ長さの第４壁面および前記軟性部からなる第５折曲げ部が形成され、前記重複部が前記剛性部からなる第５壁面に形成されてなる請求項１または２記載の携帯型のスピーカ用ラック。
【発明の詳細な説明】
【技術分野】
【０００１】
本発明は、タブレットやスマートフォンなどの携帯端末器を利用して音楽や映画の音質を向上させて楽しむことができるように、携帯端末器と共に高品質で小形のスピーカを携帯し、休憩時間や、少々の時間の余裕のあるときなどでも簡単に音質の良い音楽などを楽しむのに便利な携帯型のスピーカ用ラックに関する。さらに詳しくは、通常はカバンのように携行しながら、時間に余裕のあるときには、そのカバンを拡げればタブレットなどの携帯端末器とスピーカとを上下に並べて配置でき、高品質の音楽などを傾聴することができる携帯型のスピーカ用ラックに関する。
【背景技術】
【０００２】
スピーカは、一般的にはテレビやラジオなど電子機器に組み込まれたり、ステレオやサラウンド方式にする場合には、セパレート型のスピーカが所定の場所に設置されたりして使用されている。この場合、家や車などの一定の場所に配置するときには、据え付け型にして、専用の収納ラックが考えられている（たとえば特許文献１参照）。一方、近年、スマートフォンやタブレットなどの多機能でメモリ容量の大きい端末器の普及に伴い、殆どの人は何らかの携帯端末器を持参しながら移動している。この場合、各端末器にもスピーカが設けられており、利用者は電車などの混雑する場所では、イヤホンで聞くことができるが、音楽や映画などを臨場感が溢れ、迫力のある音声として楽しむことができない。そのため、ステレオ方式の小形スピーカが開発され、タブレットなどの端末器に有線またはブルートゥースなどの無線通信手段により、タブレットなどの端末器とは別個のスピーカを接続して音楽や映画などを楽しめるように工夫されてきている。
【先行技術文献】
【特許文献】
【０００３】
【特許文献１】特開２００８−１３２１６１号公報
【発明の概要】
【発明が解決しようとする課題】
【０００４】
前述のように、近年では殆どの人がタブレットやスマートフォンなどの携帯端末器を持参しながら移動しており、出張時や旅行先では、イヤホンではなく、短い時間でも音質が良く臨場感の溢れる音楽などを楽しむことが望まれている。このような場合、小形化された高品質のスピーカが開発されているとはいえ、スマートフォンなどのようにポケットに入れるほど小形化することはできず、カバンなどに入れて持参するしかない。そのため、ちょっとした休憩時にそのスピーカをタブレットなどに接続して利用するには、使用勝手が良くないという問題がある。
【０００５】
一方、自宅などの決まった場所ではなく、外部の静かな場所や個室で、ゆっくりと映画を楽しんだり、音楽鑑賞をしたりする場合でも、タブレットまたはスマートフォンなどの端末器にダウンロードしておいて、スピーカと共に人の邪魔にならない場所に持参して映画館やコンサート会場などと同様の臨場感の溢れた雰囲気で音楽などの鑑賞をしたいという要望があるが、場所によっては、タブレットなどの端末器とスピーカとを効率的に並べて配置することができないなどの問題がある。
【０００６】
本発明は、このような状況に鑑みてなされたもので、スピーカを手軽に持参することができ、しかも簡単に携帯用端末器とスピーカとを近接して配置することができる携帯型のスピーカ用ラックを提供することを目的とする。
【課題を解決するための手段】
【０００７】
本発明の携帯型のスピーカ用ラックは、一端部側に接着部を有すると共に、自由に折曲げが可能な軟性部と曲げに対して耐性のある剛性部とを長手方向に沿って交互に有する矩形状のラック部材と、前記接着部に接着される板状体とを有し、前記ラック部材は、前記一端部側の前記接着部と、該接着部に続く前記軟性部からなる第１折曲げ部と、前記剛性部からなり、前記接着部および第１折曲げ部と共にカバンの大きい１つの面に相当する大きさになる長さの第１壁面と、前記軟性部からなる第２折曲げ部と、前記剛性部からなりカバンの厚さを有する長さの第２壁面と、前記軟性部からなる第３折曲げ部と、前記剛性部からなり前記カバンの大きい１つの面に相当する大きさになる長さの第３壁面と、前記軟性部からなる第４折曲げ部とが順次形成され、他端部側に、前記第１壁面に重なるように形成される重複部とを少なくとも有し、前記板状体は、前記ラック部材の幅とほぼ同じ幅で、かつ、前記カバンの大きい１つの面に相当する大きさの長さで、前記ラック部材の第１折曲げ部で、前記ラック部材と任意の角度で分岐し得るように前記ラック部材と並列して設けられると共に、前記板状体の前記ラック部材側と反対面における前記一端部と反対側の自由端部および該自由端部と隣接する２つの側端部にそれぞれスピーカ支持部が形成され、かつ、該スピーカ支持部により支持されるスピーカの部分より前記自由端と反対側に携帯用端末器を載置する載置部が形成されている。
【０００８】
前記ラック部材は、外皮材と、内皮材とが厚板を挟んで貼り付けられた構造に形成され、前記軟性部は前記厚板がなく前記外皮材と前記内皮材とが接着された構造であり、前記剛性部は前記外皮材と前記内皮材との間に前記厚板が挟まれた構造であり、前記板状体は前記厚板の両面が前記内皮材により被覆された構造に形成されることにより、軟性部と剛性部とを簡単に交互に形成することができる。
【０００９】
前記第４折曲げ部に続いて、前記剛性部からなり前記第２壁面の長さとほぼ同じ長さの第４壁面および前記軟性部からなる第５折曲げ部が形成され、前記重複部が前記剛性部からなる第５壁面に形成され構造にすることにより、カバンを箱型にして取っ手を取り付けることができるため、携行が非常に容易になる。
【発明の効果】
【００１０】
本発明によれば、矩形状のラック部材を折り畳むだけでカバン状にすることができ、スピーカを安全に携行することができると共に、休憩時など、出張時または旅行先などで音楽を楽しむ際には、カバンを展開してスピーカとタブレットなどの携帯端末器を上下に並べて配置することができ、簡単に、臨場感が溢れ、迫力のある音楽や映画を楽しむことができる。その結果、通常持ち歩くタブレットやスマートフォンなどの携帯端末器と共に、本発明によるラック内に小形スピーカを入れて携行することにより、いつでもどこでも本格的な音楽を楽しむことができる。
【００１１】
さらに、本発明によれば、ラック部材を、たとえばビニール樹脂などの弾力性と耐久性のある合成樹脂シートを外皮材と内皮材とし、その間にポリエステルなどからなる合成樹脂板または金属板などからなる厚板を挟み込んで剛性部を形成することにより、厚板の大きさを予め決めておくことにより、非常に製造工程も簡単で、安価に形成することができる。なお、厚板の周囲に樹脂などを流し込む射出成型などの方法によっても、軟性部と剛性部を交互に有するラック部材を容易に製造することができる。
【００１２】
また、第３壁面の内面に弾力材からなる突出部が形成されることにより、スピーカを入れて携行する場合に、電車などで押されてもスピーカを保護することができるし、音楽などを鑑賞する際には立て掛けた板状体が滑るのを防止することができる。
【図面の簡単な説明】
【００１３】
【図１】本発明の携帯型のスピーカ用ラックの音楽を観賞する際などのラックとして使用する状態を示す斜視説明図である。
【図２】図１に示されるスピーカ用ラックを展開した内面および外面を示す図である。
【図３】図１に示されるスピーカ用ラックの接着部、第１折曲げ部および第１壁面の部分と板状体との接続部の断面構造を示す図である。
【図４】図１に示されるスピーカ用ラックを折り畳んでカバン状にした状態の斜視説明図である
【発明を実施するための形態】
【００１４】
つぎに、図面を参照しながら本発明の携帯型のスピーカ用ラックについて説明をする。本発明の携帯型のスピーカ用ラックの一実施形態は、図１〜４に示されるように、一端部側に接着部１ａを有すると共に、自由に折曲げが可能な軟性部と曲げに対して耐性のある剛性部とを長手方向に沿って交互に有する矩形状のラック部材１と、接着部１ａに接着される板状体２とにより形成されている。
【００１５】
このラック部材１は、一端部側の接着部１ａに続く軟性部からなる第１折曲げ部１２ａと、剛性部からなり、接着部１ａおよび第１折曲げ部１２ａと共にカバンの大きい１つの面に相当する大きさになる長さの第１壁面１１ａと、軟性部からなる第２折曲げ部１２ｂと、剛性部からなりカバンの厚さを有する長さの第２壁面１１ｂと、軟性部からなる第３折曲げ部１２ｃと、剛性部からなりカバンの大きい１つの面に相当する大きさになる長さの第３壁面１１ｃと、軟性部からなる第４折曲げ部１２ｄとが順次形成されている。そして、他端部側に、前記第１壁面に重なるように形成される重複部１ｅが形成されている。
【００１６】
また、板状体２は、ラック部材１の幅とほぼ同じ幅で、かつ、カバンの大きい１つの面に相当する大きさの長さで、ラック部材１の第１折曲げ部１２ａで、ラック部材１と任意の角度で分岐し得るようにラック部材１と並列して設けられると共に、板状体２のラック部材１側と反対面における一端部２ａと反対側の自由端２ｂ部およびその自由端部２ｂと隣接する２つの側端部２ｃ、２ｄにそれぞれスピーカ支持部２１〜２３が形成され、かつ、スピーカ支持部２１〜２３により支持されるスピーカ３の部分より自由端部２ｂと反対側に携帯用端末器４を載置する端末器載置部２５が形成されている。
【００１７】
ラック部材１は、たとえば図３に部分断面説明図が示されるように、ビニール樹脂などの合成樹脂フィルムからなる外皮材１ｂと内皮材１ｃとにより、樹脂板または金属板などからなる厚板１ｄを挟み込んだ構造にし、厚板１ｄの長さ（ラック部材１の長手方向の寸法を意味する：本明細書において同じ）を、それぞれ第１壁面１１ａ、第２壁面１１ｂなどの各壁面の長さに合せて形成しておき、その間を数ｍｍ程度あけて外皮材１ｂと内皮材１ｃとを直接貼り合せることにより、厚板１ｄのある部分は曲げに対して耐性のある剛性部となり、厚板１ｄのない部分は、外皮材１ｂと内皮材１ｃとが接着し合っているだけであり、自由に曲げることができ、伸ばしたり、たとえば９０度曲げて方向を変えたりすることができる折曲げ部１２ａ〜１２ｅが形成される。このラック部材１は、目的に応じて好みの寸法に形成することができるが、たとえば長手方向の長さを６１５ｍｍ程度、それと直角の幅方向を３１３ｍｍ程度に形成することができる。
【００１８】
外皮材１ｂ、内皮材１ｃおよび厚板１ｄの幅（ラック部材１の幅方向の寸法）は、スピーカ３の入る寸法、すなわちスピーカ３の横幅である約３００ｍｍ程度よりも若干大きい寸法で、たとえば３１３ｍｍ程度の大きさに形成されている。また、厚板１ｄの長さ（ラック部材１の長手方向の寸法）は、第一壁面１１ａの長さは、接着部１ａの長さおよび第１折曲げ部１２ａの長さと合せてカバンの大きい一面の長さ、たとえば２１５ｍｍ程度になる寸法に形成され、接着部１ａと第１折曲げ部１２ａと第１壁面１１ａとを合せた長さは、第３壁面の長さとほぼ同じになっている。また、第２壁面１１ｂおよび第４壁面１１ｄの長さは、カバンの厚さに相当する寸法で、スピーカ３の厚さを確保できる厚さ、たとえば５０ｍｍ程度弱を確保できる長さに形成されている。なお、第５壁面１１ｅは、第１壁面１１ａに固定できる長さに形成されていれば良く、たとえば６０ｍｍ程度の長さに形成されている。
【００１９】
なお、これらの図に示される例では、第４折曲げ部１２ｄに続いて、剛性部からなる第４壁面１１ｄが、第２壁面１１ｂとほぼ同じ長さに形成され、軟性部からなる第５折曲げ部１２ｅを経て前述の重複部（第５壁面）１１ｅが設けられる構造になっているが、このような構造にすれば、後述する取っ手１６を第４壁面１１ｄの外面に形成することができ、持ち運びに便利である。しかし、この第４壁面１１ｄおよび第５折曲げ部１１ｅは無くても構わない。第４折曲げ部１２ｄに直接重複部（第５壁面）１１ｅが形成されていても、カバンの蓋をすることができるからである。ただし、この場合は、第５壁面１１ｅが軟性部で形成されていることが曲げやすくて、蓋をするには好ましい。
【００２０】
ラック部材１の内面、すなわち内皮材１ｃの露出面で、第３壁面１１ｃには、小物入れ用の袋１３が形成されている。図では２個に区画された袋１３の例が形成されているが、個数は限定されるものではなく、３個以上に区画されても、または１個で形成されても良い。この小物入れは、たとえばタブレットなどとスピーカを接続するコードや、イヤホン、小形マイクなど、関連する小物物品を入れておくもので、袋の深さ（長手方向の寸法）は、たとえば９０ｍｍ程度、膨らみ（厚さ）は、たとえば図に示されるように、ゴムなど弾力性材料でメッシュ状に形成すれば、特に厚さを取らなくても、入れるものに合せて自由に調整することができる。
【００２１】
また、その袋１３の第３折曲げ部１２ｃ側に突出部１４が形成されている。この突出部１４は、たとえばスポンジのようなクッション性のある材料が好ましく、たとえば横方向の長さ（ラック部材１の長手方向と垂直方向の長さ）が４０ｍｍ程度で、幅が２０ｍｍ程度、高さが２９ｍｍ程度に形成され、後述するスピーカ載置部にスピーカ３を入れて搬送する場合に、スピーカ３をしっかりと固定すると共に、袋１３に入れた小物によりスピーカ３に傷がつかないようにするものである。さらに、この突出部１４は、後述する板状体２を起こしてスピーカ３とタブレット４などの携帯端末器を並べて音楽や映画を観賞する際に、板状体２が前に滑って拡がらないようにするストッパの役目も果たす。図には、２個の突出部１４が記載されているが、個数はこれに限定されるものではなく、１個でも３個以上形成されても良い。
【００２２】
第４壁面１１ｄの外面には、持ち運びに便利な取っ手１６が取り付けられ、さらに第５壁面１１ｅの外面には第１固定具１７が２か所に取り付けられ、第１壁面１１ａの外面にも第１固定具１７と嵌着し合う第２固定具１８が取り付けられている。図に示される例では、この第１固定具１７と第２固定具１８とは、それぞれマグネットと磁性体とで形成されて吸着できる構造になっているが、この例に限らず、ボタン式でも良いし、フック形式でも良く、適当な固定具を用いることができる。また、前述の第４壁面１１ｄや第５折曲げ部１２ｅが設けられない場合でも、この第１および第２の固定具１７、１８が形成されることが好ましい。
【００２３】
板状体２は、図３に示されるように、前述のラック部材１の剛性部と同様の厚板２ｅの周囲を、ラック部材１の内皮材１ｃと同様の材料からなる被覆材２ｆで被覆された構造をしており、その一端部側は前述の接着部１ａに接着され、その反対側の端部、すなわち第２折曲げ部１２ｂ側の端部である自由端部２ｂは、第１折曲げ部１２ａを回転軸として第１壁面１１ａに対して角度αで開くように、自由端部２ｂが自在に動くように形成されている（ラック部材１が第１折曲げ部１２ａで曲がることにより、板状体２の自由端部２ｂが回転する）。その結果、図１に示されるように、たとえば床面に対してα＝７０度程度の角度で立て掛けることができ、スピーカ３とタブレット４とを上下に並べて立て掛けることができる。
【００２４】
この板状体２は、カバンの１つの大きい面とほぼ同じ大きさ、すなわちその幅はラック部材１の幅（短手方向の長さ）と同じで約３１３ｍｍ程度、長さは接着部１ａの長さと、第１折曲げ部１２ａの長さと、第１壁面１１ａの長さの合計の長さ、すなわち第３壁面１１ｃの長さとほぼ同じ長さで、約２１５ｍｍ程度に形成されている。その結果、この板状体２（外部に現れるのは接着部１ａと第１折曲げ部１２ａと第１壁面１１ａ）と第３壁面１１ｃとにより、カバンの大きい両面を形成する。
【００２５】
この板状体２の自由端部２ｂ側には、スピーカ支持部２１が設けられている。図では２か所に形成されているが、スピーカ３を支持することができれば、１個でも、３個以上でも構わない。この自由端部２ｂ側に設けられるスピーカ支持部２１はＬ字型に形成され、載置したスピーカ３が容易に脱落しない構造になっている。そのため、このＬ字型にして板状体２との間に形成される間隔は、スピーカ３の厚さとほぼ同じか、それより若干大きい程度で、たとえば２９ｍｍ程度になるように形成される。また、自由端部２ｂと隣接する両側端部２ｃ、２ｄには、衝立状のスピーカ支持部２２、２３が突出する形に形成され、スピーカ３が横方向に脱落しないように形成されている。これらのスピーカ支持部２１〜２３は、たとえば２０〜３０ｍｍ程度の幅で形成されている。
【００２６】
この板状体２には、さらに、スピーカ３を載置する場所の一端部２ａ側に、タブレット４などを載置できる携帯端末器の載置部２５が形成されている。この載置部２５は、大きいタブレットや小さいタブレット、また、スマートフォンなどの大小様々な大きさの携帯端末器でも安定的に載置するため、長さの長い範囲でＬ字型に形成されて板状体２に取り付けられている。このＬ字型により、板状体２との間隔は、１０ｍｍ程度の間隔になるように形成されている。
【００２７】
このようなラック部材１を第２折曲げ部１２ｂ〜第５折曲げ部１２ｅで折り曲げてカバン状にした形状が図４に示されている。図４から明らかなように、横側の両側部には壁面がないが、この間隔は５０ｍｍに満たない程度の間隔であり、内部は殆ど見えない状態であるし、スピーカ３を入れて携行する場合でも、スピーカ支持部２１〜２３によりスピーカ３は確実に保持されており、脱落させる恐れは一切ない。一方、音楽などを楽しむ際には、図１に示されるように、カバンをただ広げるだけで、平板状になり、板状体２を立て掛けて、タブレット４を携帯端末器の載置部２５に載置することにより、タブレット４とスピーカ３とを上下に並べて、ゆっくりと音楽や映画を観賞することができる。なお、タブレットやスマートフォンなどの携帯端末器４とスピーカ３との接続は、内蔵されるブルートゥースなどにより無線で接続することもできるし、予め袋１３などに入れて持参しているケーブルをタブレット４とスピーカ３との間に接続して有線で使用することもできる。このような有線で接続する場合でも、カバンの側壁がないため、スピーカ３の側壁に形成されているジャックに差し込むことに何ら支障がなく、カバンに側壁のないことがむしろ好ましい。
【符号の説明】
【００２８】
１    ラック部材
１ａ  接着部
１ｂ  外皮材
１ｃ  内皮材
１ｄ  厚板
２    板状体
２ａ  一端部
２ｂ  自由端部
２ｃ、２ｄ  側端部
２ｅ  厚板
２ｆ  被覆材
３    スピーカ
４    タブレット（携帯端末器）
１１ａ〜１１ｄ    第１〜第４壁面
１１ｅ    第５壁面（重複部）
１２ａ〜１２ｅ    第１〜第５折曲げ部
１３    袋
１４    突出部
１６    取っ手
１７    第１固定具
１８    第２固定具
２１〜２３    スピーカ支持部
２５    端末器載置部
【図１】
2015106730.tif 000003
【図２】
2015106730.tif 000004
【図３】
2015106730.tif 000005
【図４】
2015106730.tif 000006